(57)【要約】【課題】立ち上がりフラップや脚回り部に弾性部材が設けられた吸収性物品であって、弾性部材の設置による機能が好適に発揮されるとともに、弾性部材による着用者の肌への当たりが緩和され、着用感に優れた吸収性物品を提供する。【解決手段】肌面側に立ち上がりフラップ６が設けられた吸収性物品１であって、立ち上がりフラップ６は、立ち上がりの起点となる基部１０と立ち上がりの先端となる自由端１１を有し、フラップ形成シート７が自由端１１で折り返されることにより形成されており、折り返されたフラップ形成シート７の自由端１１を挟んだ一方部７Ａと他方部７Ｂの間にフラップ弾性部材６が設けられ、フラップ弾性部材６はフラップ形成シート７の一方部７Ａに取り付けられ、フラップ弾性部材６とフラップ形成シート７の他方部７Ｂの間にアセテート繊維集合体９が設けられている。【選択図】図２
2020130644.tif 000002
【特許請求の範囲】
【請求項１】
幅方向と前後方向を有し、肌面側に立ち上がりフラップが設けられた吸収性物品であって、
前記立ち上がりフラップは、立ち上がりの起点となる基部と立ち上がりの先端となる自由端を有し、フラップ形成シートが前記自由端で折り返されることにより形成されており、
前記折り返されたフラップ形成シートの前記自由端を挟んだ一方部と他方部の間に、前後方向に延びるフラップ弾性部材が設けられ、
前記フラップ弾性部材は前記フラップ形成シートの前記一方部に取り付けられ、
前記フラップ弾性部材と前記フラップ形成シートの前記他方部の間にアセテート繊維集合体が設けられていることを特徴とする吸収性物品。
【請求項２】
前記立ち上がりフラップは、前記基部から前記自由端の間で、前後方向に延びる折り返し線に沿って折り返されており、
前記折り返し線から前記自由端の間のフラップ先端部に、前記フラップ弾性部材と前記アセテート繊維集合体が設けられており、
前記フラップ形成シートの前記他方部が、前記立ち上がりフラップの倒伏状態で、前記フラップ先端部の肌面側に位置する請求項１に記載の吸収性物品。
【請求項３】
前記立ち上がりフラップは、前記基部から前記自由端の間で折り返されておらず、
前記フラップ形成シートの前記一方部が、前記立ち上がりフラップの倒伏状態で、前記立ち上がりフラップの肌面側に位置する請求項１に記載の吸収性物品。
【請求項４】
前記アセテート繊維集合体は、前記立ち上がりフラップの前記基部から前記折り返し線の間には設けられていない請求項２に記載の吸収性物品。
【請求項５】
前記アセテート繊維集合体は、前記立ち上がりフラップの前記基部から離間して設けられ、前記基部よりも前記自由端の近くに設けられている請求項３に記載の吸収性物品。
【請求項６】
前記フラップ弾性部材は、接着剤により前記フラップ形成シートの前記一方部に取り付けられ、
前記アセテート繊維集合体は、前記フラップ形成シートの前記他方部に設けられた接着領域で前記他方部に接着され、前記フラップ形成シートの前記一方部には、前記フラップ弾性部材に塗布された接着剤により接着され、それ以外の部分では前記フラップ形成シートの前記一方部と非接着とされている請求項１〜５のいずれか一項に記載の吸収性物品。
【請求項７】
前記アセテート繊維集合体は、前記フラップ形成シートの前記他方部に接着され、前記フラップ形成シートの前記一方部には接着されていない請求項１〜５のいずれか一項に記載の吸収性物品。
【請求項８】
前記アセテート繊維集合体は、前記フラップ弾性部材の前側端よりも前方に延在し、かつ前記フラップ弾性部材の後側端よりも後方に延在している請求項１〜７のいずれか一項に記載の吸収性物品。
【請求項９】
前記アセテート繊維集合体は、前記立ち上がりフラップの前側端から後方に１０ｍｍ以内の範囲まで延在し、かつ前記立ち上がりフラップの後側端から前方に１０ｍｍ以内の範囲まで延在している請求項１〜８のいずれか一項に記載の吸収性物品。
【請求項１０】
幅方向と前後方向を有し、吸収体が設けられた吸収性物品であって、
前記吸収体の幅方向の外方に、第１シートとそれより非肌面側に配された第２シートの間に脚部弾性部材が設けられ、
前記脚部弾性部材は前記第２シートに取り付けられ、
前記脚部弾性部材と前記第１シートの間にアセテート繊維集合体が配されていることを特徴とする吸収性物品。
【請求項１１】
前記脚部弾性部材は、接着剤により前記第２シートに取り付けられ、
前記アセテート繊維集合体は、前記第１シートに設けられた接着領域で前記第１シートに接着され、前記第２シートには、前記脚部弾性部材に塗布された接着剤により接着され、それ以外の部分では前記第２シートと非接着とされている請求項１０に記載の吸収性物品。
【請求項１２】
前記アセテート繊維集合体は、前記第１シートに接着され、前記第２シートには接着されていない請求項１０に記載の吸収性物品。
【請求項１３】
前記吸収性物品はテープタイプの使い捨ておむつであり、
前記吸収体の肌面側に液透過性のトップシートが設けられ、前記吸収体の非肌面側に液不透過性のバックシートが設けられ、前記トップシートの幅方向の両側にサイドシートが設けられており、
前記サイドシートが前記第１シートであり、前記バックシートが前記第２シートである請求項１０〜１２のいずれか一項に記載の吸収性物品。
【請求項１４】
前記吸収性物品はパンツタイプの使い捨ておむつであり、パンツ形状に形成された外装部材の股部に前記吸収体が配されており、
前記外装部材は、外層シートとその肌面側に設けられた内層シートを有し、
前記内層シートが前記第１シートであり、前記外層シートが前記第２シートである請求項１０〜１２のいずれか一項に記載の吸収性物品。
【発明の詳細な説明】
【技術分野】
【０００１】
本発明は、使い捨ておむつ、尿パッド、軽失禁パッド、生理用ナプキン等の吸収性物品に関するものである。
【背景技術】
【０００２】
吸収性物品には、尿等の排泄物の漏れを防いだり、着用者とのフィット性を高めるために、様々な弾性部材が設けられる。例えば、吸収性物品の肌面側には、尿等の横漏れを防ぐために立ち上がりフラップが設けられるが、着用の際に立ち上がりフラップが起立するように、立ち上がりフラップにはフラップ弾性部材が設けられる。また吸収性物品が使い捨ておむつである場合には、着用者の脚回りへのフィット性を高めるために、通常、着用者の脚回りに沿った部分に脚部弾性部材が設けられる。これにより、使い捨ておむつを着用した際に、着用者の脚回りからの尿等の漏れを防ぐことができる。
【０００３】
このように設けられた弾性部材は、所定の機能が発揮されるようにするために、ある程度のテンション（収縮力）を有することが求められる。しかし、そのように弾性部材を設置した場合、弾性部材が着用者の肌に対して比較的強く接する可能性があり、その結果、着用者によっては弾性部材によって肌が強く締め付けられたり、違和感を覚えるおそれがある。弾性部材の着用者への肌への当たりを緩和するために、特許文献１には、セルロースアセテート繊維のトウ開繊体が直接または間接的に固定され、当該開繊体とともに一方向に伸縮する伸縮部材を備えた使い捨ておむつ用ギャザー部材が開示されている。
【先行技術文献】
【特許文献】
【０００４】
【特許文献１】特開２０１８−０５９２４４号公報
【発明の概要】
【発明が解決しようとする課題】
【０００５】
特許文献１のギャザー部材によれば、セルロースアセテート繊維のトウ開繊体が弾性部材（伸縮部材）の周囲に配されることによって、弾性部材の着用者の肌への当たりを弱めることができる。一方、弾性部材はセルロースアセテート繊維のトウ開繊体に直接または間接的に固定されているため、弾性部材の収縮力がセルロースアセテート繊維のトウ開繊体によって打ち消され、弾性部材を設けることによる効果が十分に発揮されないおそれがある。
【０００６】
本発明は前記事情に鑑みてなされたものであり、その目的は、立ち上がりフラップや脚回り部に弾性部材が設けられた吸収性物品であって、弾性部材の設置による機能が好適に発揮されるとともに、弾性部材による着用者の肌への当たりが緩和され、着用感に優れた吸収性物品を提供することにある。
【課題を解決するための手段】
【０００７】
前記課題を解決することができた本発明の吸収性物品とは、幅方向と前後方向を有し、肌面側に立ち上がりフラップが設けられた吸収性物品であって、立ち上がりフラップは、立ち上がりの起点となる基部と立ち上がりの先端となる自由端を有し、フラップ形成シートが自由端で折り返されることにより形成されており、折り返されたフラップ形成シートの自由端を挟んだ一方部と他方部の間に、前後方向に延びるフラップ弾性部材が設けられ、フラップ弾性部材はフラップ形成シートの一方部に取り付けられ、フラップ弾性部材とフラップ形成シートの他方部の間にアセテート繊維集合体が設けられているところに特徴を有する。
【０００８】
上記のように構成された吸収性物品は、アセテート繊維集合体が、フラップ弾性部材と重なって、折り返されたフラップ形成シートの間に配されているため、フラップ弾性部材が着用者の肌に強く当たりにくくなり、立ち上がりフラップにクッション性を付与することができる。一方、フラップ弾性部材はフラップ形成シートに取り付けられているため、フラップ弾性部材の収縮力がフラップ形成シートに直接伝わり、立ち上がりフラップを好適に起立させることができる。そのため、本実施態様に係る吸収性物品は、立ち上がりフラップが着用者の肌に向かって高く起立でき、尿等の漏れ防止効果を高めることができるとともに、着用者の肌への当たりを緩和することができるため、着用感に優れるものとなる。
【０００９】
立ち上がりフラップは、例えば、基部から自由端の間で、前後方向に延びる折り返し線に沿って折り返されて構成される。このように構成された立ち上がりフラップでは、折り返し線から自由端の間のフラップ先端部に、フラップ弾性部材とアセテート繊維集合体が設けられ、フラップ形成シートの他方部が、立ち上がりフラップの倒伏状態で、フラップ先端部の肌面側に位置することが好ましい。これにより、立ち上がりフラップが起立した際に、フラップ弾性部材がアセテート繊維集合体を介して着用者の肌に当たりやすくなり、着用者の肌に対するクッション性が高められる。
【００１０】
上記のように形成された立ち上がりフラップでは、アセテート繊維集合体が、立ち上がりフラップの基部から折り返し線の間には設けられないことが好ましい。これにより、立ち上がりフラップが着用者の肌に向かって高く起立しやすくなる。また、吸収性物品の使用前において、立ち上がりフラップを薄く折り畳むことができる。
【００１１】
立ち上がりフラップは、基部から自由端の間で折り返されていないものであってもよい。この場合、フラップ形成シートの一方部が、立ち上がりフラップの倒伏状態で、立ち上がりフラップの肌面側に位置することが好ましい。このように構成された立ち上がりフラップでは、立ち上がりフラップが高く起立するほど、起立状態での立ち上がりフラップの幅方向の内側面が着用者の肌に当たりやすくなる。そのため、フラップ形成シートにおいてフラップ弾性部材が取り付けられる一方部が、立ち上がりフラップの倒伏状態で立ち上がりフラップの肌面側に位置することで、立ち上がりフラップが起立した際に、フラップ形成シートの一方部が幅方向の外側面に位置しやすくなり、フラップ弾性部材がアセテート繊維集合体を介して着用者の肌に当たりやすくなる。
【００１２】
上記のように形成された立ち上がりフラップでは、アセテート繊維集合体は、立ち上がりフラップの基部から離間して設けられ、基部よりも自由端の近くに設けられることが好ましい。これにより、立ち上がりフラップが着用者の肌に向かってより高く起立しやすくなる。
【００１３】
フラップ弾性部材は、接着剤によりフラップ形成シートの一方部に取り付けられ、アセテート繊維集合体は、フラップ形成シートの他方部に設けられた接着領域で他方部に接着され、フラップ形成シートの一方部には、フラップ弾性部材に塗布された接着剤により接着され、それ以外の部分ではフラップ形成シートの一方部と非接着とされていることが好ましい。アセテート繊維集合体はまた、フラップ形成シートの他方部に接着され、フラップ形成シートの一方部には接着されないことも好ましい。これにより、フラップ形成シートの自由端を挟んだ一方部において、フラップ弾性部材の収縮力がフラップ形成シートに伝わりやすくなり、立ち上がりフラップの立ち上がりがアセテート繊維集合体によって阻害されにくくなる。
【００１４】
アセテート繊維集合体は、フラップ弾性部材の前側端よりも前方に延在し、かつフラップ弾性部材の後側端よりも後方に延在していることが好ましい。これにより、フラップ弾性部材が着用者の肌に強く当たることをより抑えやすくなる。アセテート繊維集合体は、立ち上がりフラップの前側端から後方に１０ｍｍ以内の範囲まで延在し、かつ立ち上がりフラップの後側端から前方に１０ｍｍ以内の範囲まで延在していてもよい。
【００１５】
本発明はまた、幅方向と前後方向を有し、吸収体が設けられた吸収性物品であって、吸収体の幅方向の外方に、第１シートとそれより非肌面側に配された第２シートの間に脚部弾性部材が設けられ、脚部弾性部材が第２シートに取り付けられ、脚部弾性部材と第１シートの間にアセテート繊維集合体が配されている吸収性物品も提供する。
【００１６】
上記のように構成された吸収性物品は、アセテート繊維集合体が脚部弾性部材と重なって吸収性物品の脚回り部に配されるため、脚部弾性部材が着用者の肌に強く当たりにくくなり、脚回り部にクッション性を付与することができる。一方、脚部弾性部材は第２シートに取り付けられているため、脚部弾性部材の収縮力が第２シートに直接伝わり、脚回り部に好適にギャザーを形成することができる。本実施態様の吸収性物品は、着用者の脚回りへのフィット性を高めることができるとともに、着用者の肌への当たりを緩和することができるため、着用感に優れるものとなる。
【００１７】
脚部弾性部材は、接着剤により第２シートに取り付けられ、アセテート繊維集合体は、第１シートに設けられた接着領域で第１シートに接着され、第２シートには、脚部弾性部材に塗布された接着剤により接着され、それ以外の部分では第２シートと非接着とされていることが好ましい。アセテート繊維集合体はまた、第１シートに接着され、第２シートには接着されないことも好ましい。これにより、脚部弾性部材の収縮力が第２シートに伝わりやすくなり、脚回り部のギャザー形成がアセテート繊維集合体によって阻害されにくくなる。
【００１８】
上記のように脚回り部が構成された吸収性物品は、テープタイプの使い捨ておむつに好適に適用できる。この場合、テープタイプの使い捨ておむつは、吸収体の肌面側に液透過性のトップシートが設けられ、吸収体の非肌面側に液不透過性のバックシートが設けられ、トップシートの幅方向の両側にサイドシートが設けられて構成され、サイドシートを第１シートとし、バックシートを第２シートとすることができる。上記のように脚回り部が構成された吸収性物品をパンツタイプの使い捨ておむつに適用する場合は、パンツタイプの使い捨ておむつは、パンツ形状に形成された外装部材の股部に吸収体が配されて構成され、外装部材は外層シートとその肌面側に設けられた内層シートを有し、内層シートを第１シートとし、外層シートを第２シートとすることができる。
【発明の効果】
【００１９】
本発明の吸収性物品は、フラップ弾性部材の収縮力によって立ち上がりフラップが着用者の肌に向かって高く起立でき、尿等の漏れ防止効果を高めることができるとともに、アセテート繊維集合体により立ち上がりフラップの着用者の肌への当たりを緩和することができるため、着用感に優れるものとなる。本発明の吸収性物品はまた、脚部弾性部材の収縮力によって着用者の脚回りへのフィット性を高めることができるとともに、アセテート繊維集合体により脚部弾性部材の着用者の肌への当たりを緩和することができるため、着用感に優れるものとなる。
【図面の簡単な説明】
【００２０】
【図１】本発明の吸収性物品の一例として、軽失禁パッドをトップシート側から見た平面図を表す。
【図２】図１に示した吸収性物品のＩＩ−ＩＩ断面図を表す。
【図３】本発明の吸収性物品の一例として、尿パッドをトップシート側から見た平面図を表す。
【図４】図３に示した吸収性物品のＩＶ−ＩＶ断面図を表す。
【図５】本発明の吸収性物品の一例として、テープタイプの使い捨ておむつをトップシート側から見た平面図を表す。
【図６】図５に示した吸収性物品のＶＩ−ＶＩ断面図を表す。
【図７】本発明の吸収性物品の一例として、パンツタイプの使い捨ておむつの斜視図を表す。
【図８】図７に示した吸収性物品（使い捨ておむつ）の前腹部と後背部との接合を解いて展開した状態を肌面側から見た平面図を表す。
【図９】図８に示した吸収性物品のＩＸ−ＩＸ断面図を表す。
【発明を実施するための形態】
【００２１】
本発明の吸収性物品は、着用者の股間部または脚回りに弾性部材が設けられたものである。吸収性物品には、尿等の排泄物の漏れを防いだり、着用者とのフィット性を高めるために、様々な弾性部材が設けられる。例えば、吸収性物品の肌面側には、尿等の横漏れを防ぐために立ち上がりフラップが設けられる場合があるが、着用の際に立ち上がりフラップが起立するように、立ち上がりフラップにはフラップ弾性部材が設けられる。また吸収性物品が使い捨ておむつである場合には、着用者の脚回りへのフィット性を高めるために、通常、着用者の脚回りに沿った部分に脚部弾性部材が設けられる。これにより、使い捨ておむつを着用した際に、着用者の脚回りからの尿等の漏れを防ぐことができる。
【００２２】
フラップ弾性部材や脚部弾性部材は、吸収性物品の着用の際に、重力に逆らって立ち上がりフラップを上方に起立させたり着用者の脚回りに沿った部分を上方に持ち上げるように作用する。これにより、立ち上がりフラップや着用者の脚回りに沿った部分が着用者の肌と接して、尿等の漏れを防ぐことができる。このような機能を好適に発揮させるために、フラップ弾性部材や脚部弾性部材は伸張状態で吸収性物品に取り付けられ、この際、ある程度強いテンション（収縮力）が弾性部材にかかることが求められる。しかし、そのように弾性部材を設置した場合、弾性部材が着用者の肌に対して比較的強く接する可能性があり、その結果、着用者によってはフラップ弾性部材や脚部弾性部材によって肌が強く締め付けられたり、違和感を覚えるおそれがある。
【００２３】
本発明は、上記のようにフラップ弾性部材や脚部弾性部材が設けられた吸収性物品に関するものであり、フラップ弾性部材や脚部弾性部材による上記機能が好適に発揮されるようにしつつ、フラップ弾性部材や脚部弾性部材が着用者の肌に強く接することがないように構成されたものである。以下、本発明の吸収性物品について詳しく説明する。
【００２４】
吸収性物品は、前後方向と幅方向とを有する。前後方向とは、吸収性物品を着用者が着用した際に、着用者の股間の前後方向に延びる方向を意味する。幅方向とは、吸収性物品と同一面上にあり前後方向と直交する方向を意味し、吸収性物品を着用した際の着用者の左右方向に相当する。また、前後方向と幅方向から形成される面に対して垂直方向を厚み方向とする。さらに、吸収性物品を着用者が着用した際に、着用者の肌に向かう側を肌面側とし、その反対側を非肌面側とする。
【００２５】
吸収性物品としては、使い捨ておむつ、尿パッド、軽失禁パッド、生理用ナプキン等が挙げられる。吸収性物品の形状は特に限定されない。吸収性物品が、尿パッド、軽失禁パッド、生理用ナプキンである場合、吸収性物品の形状としては、略長方形、長円形、砂時計形、ひょうたん形等が示される。
【００２６】
吸収性物品が使い捨ておむつである場合、使い捨ておむつは、例えば、前腹部と後背部とこれらの間に位置し吸収体が備えられた股部とから構成される。前腹部は、使い捨ておむつを着用の際に着用者の腹側に当てる部分に相当し、後背部は、使い捨ておむつを着用の際に着用者の背側に当てる部分に相当する。股部は、前腹部と後背部との間に位置し、着用者の股間に当てる部分に相当する。
【００２７】
使い捨ておむつは、テープタイプの使い捨ておむつであってもよく、パンツタイプの使い捨ておむつであってもよい。テープタイプの使い捨ておむつは、例えば、後背部の幅方向の両端部に止着部材が設けられて構成され、当該止着部材を前腹部に止着することにより、着用時にパンツ形状に形成することができる。パンツタイプの使い捨ておむつは、ウェスト開口部と一対の脚開口部とを有するパンツ形状を有し、着用前からパンツ形状に形成されているものである。
【００２８】
吸収性物品は、トップシートとバックシートの間に吸収体が配された構成を有することが好ましい。吸収性物品が使い捨ておむつである場合は、使い捨ておむつは、例えば、前腹部と後背部とこれらの間に位置する股部とを有する外装部材の股部に、トップシートとバックシートの間に吸収体が配された吸収性本体を設けて構成することができる。使い捨ておむつはまた、トップシートとバックシートの間に吸収体が配された積層体が、前腹部と後背部とこれらの間に位置する股部とを有するように形成されてもよい。
【００２９】
トップシートは吸収体の肌面側に配されるシート部材であり、吸収性物品の着用の際に着用者の肌に面するように設けられる。トップシートは、液透過性であることが好ましい。トップシートとしては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、有孔プラスチックフィルム等を用いてもよい。
【００３０】
バックシートは吸収体の非肌面側に配されるシート部材であり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、バックシートとして、不織布とプラスチックフィルムとの積層体を用いてもよい。
【００３１】
外装部材は、液透過性であっても液不透過性であってもよく、トップシートやバックシートに使用可能なシート材料を用いることができる。外装部材は、内層シートに外層シートが積層されて構成されることが好ましく、内層シートと外層シートは液透過性であっても液不透過性であってもよい。
【００３２】
上記説明した各シート材料として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００３３】
吸収体は、尿等の排泄物を吸収できる吸収性材料を含むものであれば特に限定されない。吸収体としては、例えば、吸収性材料を所定形状に成形した成形体を用いたり、あるいは当該成形体を紙シート（例えば、ティッシュペーパーや薄葉紙）や液透過性不織布シート等の被覆シートで覆ったものを用いることができる。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等との親和性を高めるために、界面活性剤等により親水化処理がされていてもよい。
【００３４】
吸収性材料は、尿等の吸収速度を高める点から、親水性繊維を含むことが好ましい。また、吸収容量を高める点からは、吸収性材料は吸水性樹脂を含むことが好ましい。従って、吸収体は親水性繊維（特にパルプ繊維）と吸水性樹脂を含むことが好ましい。この場合、例えば、親水性繊維の集合体に吸水性樹脂を混合または散布したものを用いることが好ましい。
【００３５】
吸収体は、シート状吸収体であってもよい。シート状吸収体としては、不織布間に吸水性樹脂を有しパルプ繊維を有しないように形成されたものが挙げられる。このように形成されたシート状吸収体は、不織布間に吸水性樹脂を有するため、高い吸収容量を実現できる。また、シート状吸収体は不織布間にパルプ繊維を有しないため、嵩張らず薄型に形成することができる。
【００３６】
シート状吸収体は、吸収性材料として吸水性繊維を用いてもよい。この場合もまた、シート状吸収体は嵩張らず薄型に形成される。吸水性繊維としては、プロトン化または塩形成したカルボキシル基を含有する繊維が挙げられる。例えば、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。
【００３７】
吸収体の形状（平面形状）は特に限定されない。吸収体の形状は、用途に応じて適宜決定すればよく、例えば、略長方形、砂時計形、ひょうたん形、羽子板形等が挙げられる。
【００３８】
吸収性物品の肌面側には立ち上がりフラップが設けられることが好ましい。立ち上がりフラップを設けることにより、尿等の横漏れが防止される。立ち上がりフラップには前後方向に延びるフラップ弾性部材が設けられることが好ましく、フラップ弾性部材の収縮力によって立ち上がりフラップの起立が促進される。
【００３９】
立ち上がりフラップは、立ち上がりの起点となる基部と立ち上がりの先端となる自由端を有し、基部と自由端の間にフラップ弾性部材が設けられる。立ち上がりフラップの基部はトップシートに接合されてもよく、幅方向の両側部が吸収体の肌面側に折り返されたバックシートに接合されてもよく、これらの両方に接合されてもよい。立ち上がりフラップは、前側端部と後側端部がトップシートおよび／またはバックシートに接合され、前側端部と後側端部の間の部分にフラップ弾性部材が設けられることにより、起立可能に形成されることが好ましい。
【００４０】
立ち上がりフラップはフラップ形成シートから構成することができ、フラップ形成シートが自由端で折り返されることにより立ち上がりフラップが形成され、折り返されたフラップ形成シートの間にフラップ弾性部材が配されることが好ましい。すなわち、自由端で折り返されたフラップ形成シートの自由端を挟んだ一方部と他方部の間に、フラップ弾性部材が設けられることが好ましい。フラップ形成シートは、液不透過性のプラスチックフィルムや液不透過性の不織布等により構成することができ、バックシートに使用可能なシート材料を用いることができる。フラップ弾性部材は、立ち上がりフラップを前後方向に前側部と後側部とこれらの間の中間部とに３等分したとき、少なくとも中間部に設けられることが好ましく、中間部から前側部および／または後側部にかけて設けられることがより好ましい。
【００４１】
フラップ形成シートは、トップシートの幅方向の両側に設けられたサイドシートによって形成されてもよい。この場合、サイドシートがトップシートとサイド接合部で接合され、サイドシートのサイド接合部より幅方向の内方部分をフラップ形成シートとすることができる。
【００４２】
立ち上がりフラップにおいては、尿等の漏れ防止の観点から、立ち上がりフラップができるだけ高く着用者の肌に向かって立ち上がることが好ましい。しかしこの場合、立ち上がりフラップのフラップ弾性部材が設けられた部分が着用者の肌に強く当たりやすくなり、着用感の低下に繋がる。
【００４３】
そこで本発明の一実施態様に係る吸収性物品では、フラップ弾性部材を、自由端で折り返されたフラップ形成シートの自由端を挟んだ一方部に取り付け、フラップ弾性部材とフラップ形成シートの他方部の間にアセテート繊維集合体を設けている。アセテート繊維集合体は、綿等の天然のセルロース繊維のように柔軟に形成することができるとともに、セルロース繊維と比べて非常に嵩高に形成することができ、弾性回復力に優れるものとなる。そのため、アセテート繊維集合体をフラップ弾性部材と重ねて、折り返されたフラップ形成シートの間に配することにより、フラップ弾性部材が着用者の肌に強く当たりにくくなり、立ち上がりフラップにクッション性を付与することができる。一方、フラップ弾性部材はフラップ形成シートに取り付けられているため、フラップ弾性部材の収縮力がフラップ形成シートに直接伝わり、立ち上がりフラップを好適に起立させることができる。このように形成された立ち上がりフラップは、着用者の肌に向かって高く起立でき、尿等の漏れ防止効果を高めることができるとともに、着用者の肌への当たりを緩和することができるため、着用感に優れるものとなる。
【００４４】
アセテート繊維には、セルロースジアセテート繊維とセルローストリアセテート繊維の２種類が広く用いられているが、アセテート繊維としてはジアセテート繊維を用いることが好ましい。セルロースジアセテートは、セルロースの無水グルコースの繰り返し単位に含まれる３個の水酸基のうち、平均で２．２２個以上２．７６個未満の水酸基がアセチル化されていること、すなわちエステル化度が２．２２以上２．７６未満であることが好ましい。
【００４５】
アセテート繊維集合体は、前後方向に配向した長繊維から形成されていることが好ましい。具体的には、アセテート繊維集合体を構成するアセテート繊維は長繊維から構成され、当該長繊維が前後方向に配向していることが好ましい。これにより、フラップ弾性部材の収縮力によって立ち上がりフラップにギャザーが形成された際に、アセテート繊維が前後方向に撓んだり折り畳まれてアセテート繊維集合体の嵩が高まり、立ち上がりフラップのクッション性を高めることができる。
【００４６】
アセテート繊維は長繊維の束（フィラメント束）として用いることが好ましい。例えば、アセテート繊維集合体をトウから形成し、この状態で自由端で折り返されたフラップ形成シートの間に挟んだり、アセテート繊維集合体をトウ開繊繊維として自由端で折り返されたフラップ形成シートの間に挟むことができる。アセテート繊維の長繊維の長さとしては、５ｃｍ以上が好ましく、１０ｃｍ以上がより好ましく、１５ｃｍ以上がさらに好ましい。アセテート繊維の長繊維は、アセテート繊維集合体の前後方向の全体にわたって連続的に延びるものであってもよい。
【００４７】
アセテート繊維の繊度は特に限定されないが、使用上十分な強度を有するようにする点から、例えば０．１ｄｔｅｘ〜１０ｄｔｅｘであることが好ましい。
【００４８】
アセテート繊維集合体は、アセテート繊維を主成分として含んでいればよく、アセテート繊維以外の繊維を含んでいてもよい。アセテート繊維集合体は、アセテート繊維を５０質量％以上の割合で含むことが好ましく、７０質量％以上がより好ましく、８０質量％以上がさらに好ましく、９０質量％以上がさらにより好ましい。アセテート繊維集合体は、繊維成分として、アセテート繊維のみから構成されていることが特に好ましい。一方、フラップ形成シートはアセテート繊維を含まないことが好ましい。
【００４９】
アセテート繊維集合体は、立ち上がりフラップを前後方向に前側部と後側部とこれらの間の中間部とに３等分したとき、少なくとも中間部の一部に設けられることが好ましい。アセテート繊維集合体は、立ち上がりフラップの中間部の全体にわたって設けられてもよく、中間部から前側部および／または後側部にかけて設けられてもよい。アセテート繊維集合体は、前後方向に例えば５ｃｍ以上の長さで設けられることが好ましく、１０ｃｍ以上の長さで設けられることがより好ましく、１５ｃｍ以上の長さで設けられることがさらに好ましい。なお、ここで説明したアセテート繊維集合体の長さは、吸収性物品に配された弾性部材を細かく切断するなどして、弾性部材の収縮力が発現しない状態で測定される。本発明における様々な長さの測定は、同様にして行うものとする。アセテート繊維集合体の幅は、例えば３ｍｍ以上が好ましく、５ｍｍ以上がより好ましく、８ｍｍ以上がさらに好ましく、また３０ｍｍ以下が好ましく、２５ｍｍ以下がより好ましく、２０ｍｍ以下がさらに好ましい。
【００５０】
フラップ弾性部材は、伸張状態でフラップ形成シートに取り付けられることが好ましい。これにより、フラップ弾性部材の収縮力によって立ち上がりフラップが起立しやすくなる。フラップ弾性部材は伸張倍率１．２倍以上５．０倍以下でフラップ形成シートに取り付けられることが好ましく、当該伸張倍率は１．５倍以上がより好ましく、１．８倍以上がさらに好ましく、また４．０倍以下がより好ましく、３．５倍以下がさらに好ましい。ここで説明した伸張倍率は、非伸張状態を１．０倍とする。
【００５１】
フラップ弾性部材としては、ポリウレタン糸、ポリウレタンフィルム、天然ゴム等の通常の吸収性物品に用いられる弾性伸縮材料を用いることができる。なお、下記に説明する様々な弾性部材についても、同様の弾性伸縮材料を用いることができる。
【００５２】
フラップ弾性部材は、接着剤によりフラップ形成シートの自由端を挟んだ一方部に取り付けられることが好ましい。接着剤としては、ホットメルト接着剤を用いることが好ましく、より好ましくはゴム系のホットメルト接着剤を用いる。なお、フラップ弾性部材は、アセテート繊維集合体と重なる部分で、フラップ形成シートの自由端を挟んだ他方部には取り付けられないことが好ましい。
【００５３】
アセテート繊維集合体は、フラップ弾性部材の少なくとも一部と重なるように、フラップ弾性部材とフラップ形成シートの他方部の間に設けられる。この際、アセテート繊維集合体は、フラップ形成シートの他方部に接着されることが好ましい。具体的には、アセテート繊維集合体は、フラップ形成シートの他方部に設けられた接着領域でフラップ形成シートの他方部に接着されることが好ましい。これにより、フラップ弾性部材の伸縮によって立ち上がりフラップのギャザーが前後方向に伸び縮みしても、アセテート繊維集合体をフラップ形成シートの所定の位置にしっかりと固定することができる。アセテート繊維集合体がフラップ形成シートの他方部に接着される接着領域は、所定の幅で、前後方向に連続的または断続的に設けられることが好ましい。接着領域の幅は、３ｍｍ以上が好ましく、５ｍｍ以上がより好ましく、８ｍｍ以上がさらに好ましく、また３０ｍｍ以下が好ましく、２５ｍｍ以下がより好ましく、２０ｍｍ以下がさらに好ましい。接着領域を前後方向に断続的に設ける場合は、その断続部の前後方向の長さは５０ｍｍ以下が好ましく、３０ｍｍ以下がより好ましく、２０ｍｍ以下がさらに好ましい。接着領域はまた、少なくともアセテート繊維集合体の前側端から後方に３０ｍｍ以内に存在することが好ましく、２０ｍｍ以内がより好ましく、１０ｍｍ以内がさらに好ましく、アセテート繊維集合体の後側端から前方に３０ｍｍ以内に存在することが好ましく、２０ｍｍ以内がより好ましく、１０ｍｍ以内がさらに好ましい。
【００５４】
一方、アセテート繊維集合体は、フラップ形成シートの自由端を挟んだ一方部には接着されないか、限定された部分のみで一方部に接着されることが好ましい。後者の場合、アセテート繊維集合体は、フラップ弾性部材に塗布された接着剤によりフラップ形成シートの一方部に接着され、それ以外の部分ではフラップ形成シートの一方部と非接着とされていることが好ましい。これにより、フラップ形成シートの自由端を挟んだ一方部において、フラップ弾性部材の収縮力がフラップ形成シートに伝わりやすくなり、立ち上がりフラップの立ち上がりがアセテート繊維集合体によって阻害されにくくなる。
【００５５】
アセテート繊維集合体は、フラップ弾性部材の前後方向の全体にわたって重なって設けられることが好ましい。より好ましくは、アセテート繊維集合体は、フラップ弾性部材の前側端よりも前方に延在し、かつフラップ弾性部材の後側端よりも後方に延在するように設けられる。これにより、フラップ弾性部材が着用者の肌に強く当たることをより抑えやすくなる。アセテート繊維集合体は、立ち上がりフラップの前後方向のほぼ全体にわたって設けられていてもよく、例えば、立ち上がりフラップの前側端から後方に１０ｍｍ以内の範囲まで延在し、かつ立ち上がりフラップの後側端から前方に１０ｍｍ以内の範囲まで延在していてもよい。
【００５６】
立ち上がりフラップは、フラップ形成シートの自由端を挟んだ一方部と他方部のどちらが吸収性物品の肌面側に面していてもよい。好ましくは立ち上がりフラップは、立ち上がった際に、よりクッション性が高いフラップ形成シートの他方部が着用者の肌に当たるように形成される。すなわち立ち上がりフラップは、フラップ形成シートの自由端を挟んだ他方部が着用者の肌に当たるように形成されることが好ましい。これについて、図１〜図４を参照して説明する。なお、本発明は図面に示された実施態様に限定されるものではない。
【００５７】
図１および図２には、本発明の吸収性物品の第１実施態様として軽失禁パッドの構成例が示されており、図３および図４には、本発明の吸収性物品の第２実施態様として尿パッドの構成例が示されている。図１は、吸収性物品（軽失禁パッド）を肌面側から見た平面図を表し、図２は、図１に示した吸収性物品のＩＩ−ＩＩ断面図を表し、図３は、吸収性物品（尿パッド）を肌面側から見た平面図を表し、図４は、図３に示した吸収性物品のＩＶ−ＩＶ断面図を表す。図面において、矢印ｘは吸収性物品の幅方向を表し、矢印ｙは吸収性物品の前後方向を表し、矢印ｚは吸収性物品の厚み方向を表す。
【００５８】
吸収性物品１（１Ａ，１Ｂ）は、トップシート２とバックシート３とこれらの間に設けられた吸収体４とを有する。トップシート２は吸収体４の肌面側に配され、バックシート３は吸収体４の非肌面側に配されている。トップシート２を透過した排泄物は、吸収体４により収容される。バックシート３は排泄物が外へ漏れるのを防いでいる。図１および図２に示した吸収性物品１Ａでは、バックシート３と吸収体４の間にさらに台紙５が設けられており、台紙５により吸収性物品１Ａの形状保持性を向上させることができる。台紙５は、クレープ紙や不織布から構成することができる。台紙５は設けなくてもよい。
【００５９】
吸収性物品１の肌面側には、立ち上がりフラップ６が設けられている。立ち上がりフラップ６は、立ち上がりの起点となる基部１０と立ち上がりの先端となる自由端１１を有し、基部１０と自由端１１の間に前後方向ｙに延びるフラップ弾性部材８が設けられている。立ち上がりフラップ６は、図２および図４に示すように、フラップ形成シート７が自由端１１で折り返されることにより形成されている。図面では、フラップ形成シート７は基部１０でトップシート２に接合され、さらに幅方向ｘの外方に延在してバックシート３と重なっている。
【００６０】
立ち上がりフラップ６は、折り返されたフラップ形成シート７の自由端１１を挟んだ一方部７Ａと他方部７Ｂの間に、フラップ弾性部材８が設けられる。フラップ弾性部材８は、自由端１１で折り返されたフラップ形成シート７の一方部７Ａに取り付けられ、フラップ弾性部材８とフラップ形成シート７の他方部７Ｂの間にアセテート繊維集合体９が設けられる。このように形成された立ち上がりフラップ６は、着用者の肌に向かって好適に起立することができるとともに、着用者の肌への当たりを緩和することができるため、着用感に優れるものとなる。
【００６１】
フラップ形成シート７において、自由端１１を挟んでフラップ弾性部材８が取り付けられる側が一方部７Ａとなる。立ち上がりフラップ６の基部１０は、フラップ形成シート７の一方部７Ａに設けられてもよく、他方部７Ｂに設けられてもよく、その両方に設けられてもよい。吸収性物品１Ａでは、フラップ形成シート７の他方部７Ｂに基部１０が形成されており、吸収性物品１Ｂでは、フラップ形成シート７の一方部７Ａに基部１０が形成されている。
【００６２】
吸収性物品１Ａと吸収性物品１Ｂとでは立ち上がりフラップ６の幅方向ｘの断面形状が異なっており、その結果、フラップ弾性部材８とアセテート繊維集合体９の好適な配置態様が両者において異なる。吸収性物品１Ａでは、立ち上がりフラップ６は、基部１０から自由端１１の間で、前後方向ｙに延びる折り返し線１２に沿って折り返されており、折り返し線１２から自由端１１の間の部分であるフラップ先端部１３に、フラップ弾性部材８とアセテート繊維集合体９が設けられている。このように形成された吸収性物品１Ａでは、フラップ形成シート７の他方部７Ｂが、立ち上がりフラップ６の倒伏状態、すなわち立ち上がりフラップ６が折り畳まれた状態で、フラップ先端部１３の肌面側に位置していることが好ましい。これにより、立ち上がりフラップ６が起立した際に、フラップ弾性部材８がアセテート繊維集合体９を介して着用者の肌に当たりやすくなり、着用者の肌に対するクッション性が高められる。
【００６３】
吸収性物品１Ａでは、アセテート繊維集合体９は、立ち上がりフラップ６の基部１０から折り返し線１２の間の部分であるフラップ起立部１４には設けられないことが好ましい。これにより、立ち上がりフラップ６が着用者の肌に向かって高く起立しやすくなる。また、吸収性物品１Ａの使用前において、立ち上がりフラップ６を薄く折り畳むことができる。一方、フラップ弾性部材８はフラップ起立部１４に設けられていてもよい。
【００６４】
吸収性物品１Ａでは、図１に示すように、アセテート繊維集合体９がフラップ弾性部材８よりも前後方向ｙに対して短い長さで設けられている。このようにアセテート繊維集合体９を設けることにより、立ち上がりフラップ６をより高く起立させることができる。
【００６５】
なお、図１および図２では、立ち上がりフラップ６の折り返し線１２はフラップ先端部１３の幅方向ｘの外方端に形成されているが、立ち上がりフラップ６の折り返し線１２はフラップ先端部１３の幅方向ｘの内方端に形成されていてもよい。この場合、立ち上がりフラップ６の自由端１１は、フラップ先端部１３の幅方向ｘの外方端に位置することとなる。
【００６６】
吸収性物品１Ｂでは、立ち上がりフラップ６は、基部１０から自由端１１の間で折り返されていない。この場合は、フラップ形成シート７の一方部７Ａが、立ち上がりフラップ６の倒伏状態で、立ち上がりフラップ６の肌面側に位置することが好ましい。吸収性物品１Ｂでは、立ち上がりフラップ６が高く起立するほど、起立状態での立ち上がりフラップ６の幅方向ｘの内側面が着用者の肌に当たりやすくなる。そのため、フラップ形成シート７においてフラップ弾性部材８が取り付けられる一方部７Ａが、立ち上がりフラップ６の倒伏状態で立ち上がりフラップ６の肌面側に位置することで、立ち上がりフラップ６が起立した際に、フラップ形成シート７の一方部７Ａが幅方向ｘの外側面に位置しやすくなり、フラップ弾性部材８がアセテート繊維集合体９を介して着用者の肌に当たりやすくなる。なお、フラップ弾性部材８の収縮力がそれほど強くない場合は、立ち上がりフラップ６の起立の程度が抑えられ、起立状態での立ち上がりフラップ６の幅方向ｘの外側面が着用者の肌に当たりやすくなる場合もある。そのような場合は、フラップ形成シート７の他方部７Ｂが、立ち上がりフラップ６の倒伏状態で、立ち上がりフラップ６の肌面側に位置していてもよい。
【００６７】
吸収性物品１Ｂでは、アセテート繊維集合体９は、立ち上がりフラップ６の基部１０から離間して設けられ、基部１０よりも自由端１１の近くに設けられることが好ましい。これにより、立ち上がりフラップ６が着用者の肌に向かってより高く起立しやすくなる。
【００６８】
吸収性物品１Ｂでは、図３に示すように、アセテート繊維集合体９が立ち上がりフラップ６の前後方向ｙのほぼ全長にわたって設けられている。このようにアセテート繊維集合体９を設けることにより、着用者の股間部のみならず腹部や背部での肌の当たりを良好なものとすることができる。
【００６９】
上記には、立ち上がりフラップにアセテート繊維集合体が設けられた吸収性物品について説明したが、本発明の吸収性物品は、着用者の脚回りに沿った部分に脚部弾性部材が設けられ、当該部分にアセテート繊維集合体が設けられるものであってもよい。これについて以下に説明する。
【００７０】
脚部弾性部材は、第１シートとそれより非肌面側に配された第２シートの間に設けられ、かつ吸収体の幅方向の外方に設けられる。吸収性物品は、脚部弾性部材が配されることにより、着用者の脚回りに対するフィット性が高められ、着用者の脚回りからの尿等の漏れを防ぐことができる。脚部弾性部材を備えた吸収性物品としては、使い捨ておむつが好ましい。脚部弾性部材は、少なくとも一部が吸収体の幅方向の外方に設けられればよく、例えば脚部弾性部材の前側端部と後側端部が吸収体と重なっていてもよい。以下において、脚部弾性部材が設けられた着用者の脚回りに沿った部分を、脚回り部と称する。
【００７１】
吸収体は、第１シートと第２シートの間に配されても、そうでなくてもよい。第１シートと第２シートの組み合わせとしては、トップシートとバックシートの組み合わせ、トップシートの幅方向の両側に設けられたサイドシートとバックシートの組み合わせ、外装部材の内層シートと外層シートの組み合わせ等が挙げられる。
【００７２】
脚回り部においては、尿等の漏れ防止の点から、吸収性物品（特に使い捨ておむつ）の脚回り部での着用者へのフィット性が確保されることが好ましい。一方、このように脚回り部でのフィット性を高めた場合、脚回り部の脚部弾性部材が設けられた部分が着用者の肌に強く当たりやすくなり、着用感の低下につながる。
【００７３】
そこで本発明の一実施態様に係る吸収性物品では、脚部弾性部材を非肌面側の第２シートに取り付け、脚部弾性部材と肌面側の第１シートの間にアセテート繊維集合体を設けている。このようにアセテート繊維を設けることにより、脚部弾性部材が着用者の肌に強く当たりにくくなり、脚回り部にクッション性を付与することができる。一方、脚部弾性部材は第２シートに取り付けられているため、脚部弾性部材の収縮力が第２シートに直接伝わり、脚回り部に好適にギャザーを形成することができる。このように形成された脚回り部は、着用者の脚回りへのフィット性を高めることができるとともに、着用者の肌への当たりを緩和することができるため、着用感に優れるものとなる。アセテート繊維集合体の詳細は、上記の立ち上がりフラップの説明におけるアセテート繊維集合体に関する説明が参照される。
【００７４】
脚部弾性部材は、伸張状態で第２シートに取り付けられることが好ましい。これにより、脚部弾性部材の収縮力によって脚回り部に好適にギャザーが形成されやすくなる。脚部弾性部材は伸張倍率１．２倍以上５．０倍以下で第２シートに取り付けられることが好ましく、当該伸張倍率は１．５倍以上がより好ましく、１．８倍以上がさらに好ましく、また４．０倍以下がより好ましく、３．５倍以下がさらに好ましい。ここで説明した伸張倍率は、非伸張状態を１．０倍とする。
【００７５】
脚部弾性部材は、接着剤により第２シートに取り付けられることが好ましい。接着剤としては、ホットメルト接着剤を用いることが好ましく、より好ましくはゴム系のホットメルト接着剤を用いる。なお、脚部弾性部材は、アセテート繊維集合体と重なる部分では第１シートに取り付けられないことが好ましい。
【００７６】
アセテート繊維集合体は、脚部弾性部材の少なくとも一部と重なるように、脚部弾性部材と第１シートの間に設けられる。アセテート繊維集合体は、少なくとも一部が吸収体の幅方向の外方に設けられることが好ましく、アセテート繊維集合体の全部が吸収体の幅方向の外方に位置することがより好ましい。アセテート繊維集合体は、前後方向または脚部弾性部材の延在方向に沿って、例えば５ｃｍ以上の長さで設けられることが好ましく、１０ｃｍ以上の長さで設けられることがより好ましく、１５ｃｍ以上の長さで設けられることがさらに好ましい。アセテート繊維集合体の幅は、例えば３ｍｍ以上が好ましく、５ｍｍ以上がより好ましく、８ｍｍ以上がさらに好ましく、また３０ｍｍ以下が好ましく、２５ｍｍ以下がより好ましく、２０ｍｍ以下がさらに好ましい。
【００７７】
アセテート繊維集合体は、第１シートに接着されることが好ましい。具体的には、アセテート繊維集合体は、第１シートに設けられた接着領域で第１シートに接着されることが好ましい。これにより、脚部弾性部材の伸縮によって脚回り部が伸び縮みしても、アセテート繊維集合体を脚回り部の所定の位置にしっかりと固定することができる。アセテート繊維集合体が第１シートに接着される接着領域は、所定の幅で、前後方向または脚部弾性部材の延在方向に沿って連続的または断続的に設けられることが好ましい。当該接着領域の幅は、３ｍｍ以上が好ましく、５ｍｍ以上がより好ましく、８ｍｍ以上がさらに好ましく、また３０ｍｍ以下が好ましく、２５ｍｍ以下がより好ましく、２０ｍｍ以下がさらに好ましい。接着領域を断続的に設ける場合は、その断続部の前後方向または脚部弾性部材の延在方向に沿った長さは５０ｍｍ以下が好ましく、３０ｍｍ以下がより好ましく、２０ｍｍ以下がさらに好ましい。接着領域はまた、少なくともアセテート繊維集合体の前側端から後方に３０ｍｍ以内に存在することが好ましく、２０ｍｍ以内がより好ましく、１０ｍｍ以内がさらに好ましく、アセテート繊維集合体の後側端から前方に３０ｍｍ以内に存在することが好ましく、２０ｍｍ以内がより好ましく、１０ｍｍ以内がさらに好ましい。
【００７８】
一方、アセテート繊維集合体は、第２シートには接着されないか、限定された部分のみで第２シートに接着されることが好ましい。後者の場合、アセテート繊維集合体は、脚部弾性部材に塗布された接着剤により第２シートに接着され、それ以外の部分では第２シートと非接着とされていることが好ましい。これにより、脚部弾性部材の収縮力が第２シートに伝わりやすくなり、脚回り部のギャザー形成がアセテート繊維集合体によって阻害されにくくなる。
【００７９】
脚回り部において、アセテート繊維集合体は、脚部弾性部材の前後方向の全体にわたって重なって設けられてもよい。例えば脚部弾性部材が前後方向に延びるように設けられる場合は、アセテート繊維集合体は、脚部弾性部材の前側端よりも前方に延在し、かつ脚部弾性部材の後側端よりも後方に延在するように設けられてもよい。これにより、脚回り部における着用者の肌への当たりがより柔らかくなり、吸収性物品の着用感が向上する。
【００８０】
上記のように脚回り部が構成された吸収性物品は、テープタイプの使い捨ておむつやパンツタイプの使い捨ておむつに適用することができる。テープタイプの使い捨ておむつは、例えば、吸収体の肌面側に液透過性のトップシートが設けられ、吸収体の非肌面側に液不透過性のバックシートが設けられ、トップシートの幅方向の両側にサイドシートが設けられて構成されるが、サイドシートを上記に説明した第１シートとし、バックシートを上記に説明した第２シートとして、サイドシートとバックシートの間に脚部弾性部材とアセテート繊維集合体を設けることができる。パンツタイプの使い捨ておむつは、パンツ形状に形成された外装部材の股部に吸収体が配されて構成されるが、外装部材を外層シートとその肌面側に設けられた内層シートから構成し、内層シートを上記に説明した第１シートとし、外層シートを上記に説明した第２シートとして、内層シートと外層シートの間に脚部弾性部材とアセテート繊維集合体を設けることができる。この際、脚部弾性部材は、パンツ形状に形成された外装部材の脚開口縁に沿って設けることが好ましい。
【００８１】
脚回り部にアセテート繊維集合体を配した吸収性物品の構成例について、図面を参照して説明する。図５および図６には、本発明の吸収性物品の第３実施態様としてテープタイプの使い捨ておむつの構成例を示した、図５は、吸収性物品（テープタイプの使い捨ておむつ）を肌面側から見た平面図を表し、図６は、図５に示した吸収性物品のＶＩ−ＶＩ断面図を表す。
【００８２】
吸収性物品（テープタイプの使い捨ておむつ）２１は、液透過性のトップシート２２と液不透過性のバックシート２３とこれらの間に配された吸収体２４とを有する。トップシート２２の幅方向ｘの両側に、前後方向ｙに延在するサイドシート２７が設けられている。サイドシート２７はトップシート２２に接合され、サイドシート２７のトップシート２２との接合部よりも幅方向ｘの内方部分にフラップ弾性部材２８が設けられている。吸収性物品２１の使用時には、フラップ弾性部材２８の収縮力によりサイドシート２７の内方部分が着用者の肌に向かって立ち上がり、これにより立ち上がりフラップ２９が形成され、尿等の横漏れが防止される。
【００８３】
吸収性物品２１には、幅方向ｘの両側に止着部材２５が設けられている。止着部材２５は、吸収性物品２１の後背部の幅方向ｘの両端部に取り付けられることが好ましい。止着部材２５は基材シートに留め具（例えば、フック・ループ・ファスナーや粘着剤）が設けられて構成される。一方、吸収性物品２１の前腹部の非肌面側には、止着対応部２６が設けられることが好ましい。吸収性物品２１は、着用者の股間に当てて、止着部材２５の留め具を止着対応部２６に接合することで、装着することができる。
【００８４】
吸収性物品２１の幅方向ｘの両端部には、前後方向ｙに延びる脚部弾性部材３０が設けられている。脚部弾性部材３０により着用者の脚回り沿ってギャザーが形成され、脚回りのフィット性を高めたり、尿等の漏れを防止することができる。脚部弾性部材３０はサイドシート２７とバックシート２３の間に配されて、バックシート２３に取り付けられ、脚部弾性部材３０とサイドシート２７の間にアセテート繊維集合体３２が配されている。このように脚部弾性部材３０とアセテート繊維集合体３２を設けることにより、吸収性物品２１の着用者の脚回りへのフィット性を高めることができるとともに、吸収性物品２１の脚回り部の着用者の肌への当たりを緩和することができるため、着用感に優れるものとなる。
【００８５】
吸収性物品２１は、前後方向ｙの端部に幅方向ｘに延びるウェスト弾性部材３１が設けられることが好ましい。ウェスト弾性部材３１により着用者の腰回りに沿ったウェストギャザーが形成され、腹部側や背中側からの尿等の漏れが防止される。ウェスト弾性部材３１は、トップシート２２とバックシート２３の間に設けられ、一部がサイドシート２７とバックシート２３の間に設けられてもよい。
【００８６】
図７〜図９には、本発明の吸収性物品の第４実施態様としてパンツタイプの使い捨ておむつを示した。図７は、吸収性物品（パンツタイプの使い捨ておむつ）の斜視図を表し、図８は、図７に示した吸収性物品（使い捨ておむつ）の前腹部と後背部との接合を解いて展開した状態を肌面側から見た平面図を表し、図９は、図８に示した吸収性物品のＩＸ−ＩＸ断面図を表す。
【００８７】
吸収性物品（パンツタイプの使い捨ておむつ）４１は、ウェスト開口部４２と一対の脚開口部４３を有し、パンツ形状に形成された外装部材４４を有する。外装部材４４は、内層シート４５と外層シート４６から構成され、内層シート４５が外層シート４６の肌面側に配されている。ウェスト開口部４２は着用者の胴を通すための開口であり、脚開口部４３は着用者の脚を通すための開口である。外装部材４４は、前腹部Ｐと後背部Ｑとこれらの間に位置する股部Ｒとから構成され、前腹部Ｐと後背部Ｑとが接合されることによりパンツ形状に形成される。
【００８８】
使い捨ておむつ４１には、股部Ｒに吸収体５０が設けられる。吸収体５０は、少なくとも股部Ｒに存在すればよく、さらに前腹部Ｐおよび／または後背部Ｑに延在してもよい。図９に示すように、使い捨ておむつ４１では、外装部材４４の肌面側に、トップシート４８とバックシート４９の間に吸収体５０が配された吸収性本体４７が設けられている。また、バックシート４９が吸収体５０の幅方向ｘの端縁で折り返されて、トップシート４８と接合されている。
【００８９】
吸収性本体４７には、幅方向ｘの両側に立ち上がりフラップ５１が設けられることが好ましい。立ち上がりフラップ５１を設けることにより、尿等の横漏れを防ぐことができる。立ち上がりフラップ５１にはフラップ弾性部材５２が設けられ、フラップ弾性部材５２の収縮力により立ち上がりフラップ５１の起立が促される。
【００９０】
外装部材４４には、脚開口部４３の縁に沿って脚部弾性部材５３が設けられている。図７および図８では、脚部弾性部材５３は、股部Ｒを横断し、脚開口部４３の前側の縁に沿って設けられる前側脚部弾性部材５３Ｆと、股部Ｒを横断し、脚開口部４３の後側の縁に沿って設けられる後側脚部弾性部材５３Ｂとから構成されている。前側脚部弾性部材５３Ｆと後側脚部弾性部材５３Ｂとにより、脚開口部４３の縁のほぼ全周にわたり弾性部材が設けられ、着用者の脚回りに沿ったレッグギャザーが形成され、股部からの尿等の漏れが防止される。図面では、前側脚部弾性部材５３Ｆと後側脚部弾性部材５３Ｂが互いに離間して設けられているが、前側脚部弾性部材５３Ｆと後側脚部弾性部材５３Ｂは互いに接していたり交差していてもよい。
【００９１】
前側脚部弾性部材５３Ｆと後側脚部弾性部材５３Ｂは、股部Ｒを幅方向ｘに横切る部分で断続的に設けられることが好ましい。なお、それ以外の部分では、前側脚部弾性部材５３Ｆと後側脚部弾性部材５３Ｂは連続的に設けられることが好ましい。このように前側脚部弾性部材５３Ｆと後側脚部弾性部材５３Ｂが設けられれば、吸収性本体４７が歪みにくくなり、吸収性本体４７の着用者の股間部でのフィット性が高まる。脚部弾性部材５３を断続的に設ける場合は、脚部弾性部材５３を外装部材４４に接着固定した後、脚部弾性部材５３をカッター等で切断すればよい。このようにすることで、脚部弾性部材５３を製造上簡単に断続的に設けることができ、また脚部弾性部材５３が断続的に設けられた部分で、弾性部材の収縮力を実質的に失わせることができる。
【００９２】
脚部弾性部材５３は、内層シート４５と外層シート４６の間に配されて、外層シート４６に取り付けられ、脚部弾性部材５３と内層シート４５の間にアセテート繊維集合体５６が配されている。このように脚部弾性部材５３とアセテート繊維集合体５６を設けることにより、吸収性物品４１の着用者の脚回りへのフィット性を高めることができるとともに、吸収性物品４１の脚回り部の着用者の肌への当たりが緩和され、着用感に優れるものとなる。
【００９３】
外装部材４４の前腹部Ｐと後背部Ｑには、内層シート４５と外層シート４６の間に、幅方向ｘに延びる複数の胴部弾性部材５４が設けられることが好ましい。胴部弾性部材５４は、ウェスト開口部４２と脚開口部４３の間に設けられる。胴部弾性部材５４により、着用者の胴周りのフィット性が高められる。なお、胴部弾性部材５４のうち、ウェスト開口部４２の縁に沿って前後方向ｙに狭い間隔で設けられる弾性部材を腰部弾性部材５５として設けてもよく、これにより着用者の腰回りに沿ったウェストギャザーが形成され、背中側や腹部側からの尿等の漏れが防止される。図７および図８では、腰部弾性部材５５は胴部弾性部材５４よりも前後方向ｙに狭い間隔で設けられている。
【００９４】
外装部材４４は、ウェスト開口部４２の縁に沿って折り返されていてもよい。例えば、外層シート４６が外装部材４４のウェスト開口部４２の縁で内層シート４５側に折り返されていてもよい（図示せず）。この場合、腰部弾性部材５５は、折り返された外層シート４６の間に挟まれて、外層シート４６に接着されていてもよい。
【００９５】
以上、本発明の吸収性物品について説明したが、本発明の吸収性物品は、立ち上がりフラップと脚回り部のいずれか一方にアセテート繊維集合体が設けられるものであってもよく、これらの両方にアセテート繊維集合体が設けられるものであってもよい。いずれの場合も、立ち上がりフラップや脚回り部のギャザーによって尿等の横漏れを防止することができるとともに、着用者の股間部や脚回り部で弾性部材の着用者の肌への当たりが緩和され、着用感に優れた吸収性物品とすることができる。
【符号の説明】
【００９６】
１，１Ａ，１Ｂ，２１，４１：吸収性物品
２，２２，４８：トップシート
３，２３，４９：バックシート
４，２４，５０：吸収体
６，２９，５１：立ち上がりフラップ
７：フラップ形成シート
８，２８，５２：フラップ弾性部材
９，３２，５６：アセテート繊維集合体
１０：基部
１１：自由端
１２：折り返し線
１３：フラップ先端部
１４：フラップ起立部
２７：サイドシート
３０，５３：脚部弾性部材
４４：外装部材
４５：内層シート
４６：外層シート
４７：吸収性本体
【図１】
2020130644.tif 000003
【図２】
2020130644.tif 000004
【図３】
2020130644.tif 000005
【図４】
2020130644.tif 000006
【図５】
2020130644.tif 000007
【図６】
2020130644.tif 000008
【図７】
2020130644.tif 000009
【図８】
2020130644.tif 000010
【図９】
2020130644.tif 000011